(57)【要約】【課題】部品点数を増加させることなくスピーカ部がスピーカ取付部から外れるのを抑制し、かつ、スピーカ部の振動に起因する筐体のビビリ音を低減させることが可能な表示装置を提供する。【解決手段】このテレビジョン装置１００（表示装置）は、表示部１が設けられるフロントキャビネット２と、スピーカ本体５１と、スピーカ本体５１をフロントキャビネット２に取り付けるための筐体取付部５２とを含むスピーカユニット５と、フロントキャビネット２に一体的に設けられ、スピーカユニット５の筐体取付部５２が取り付けられるスピーカ取付部２２と、筐体取付部５２とスピーカ取付部２２との間に設けられ、スピーカユニット５の振動を吸収する第１緩衝部５３とを備え、スピーカ取付部２２は、スピーカユニット５の筐体取付部５２が取り付け方向に移動するのを規制するフック部２２２を一体的に含む。【選択図】図５
2014161123.tif 000002
【特許請求の範囲】
【請求項１】
表示部が設けられる筐体と、
スピーカ本体と、前記スピーカ本体を前記筐体に取り付けるための筐体取付部とを含むスピーカ部と、
前記筐体に一体的に設けられ、前記スピーカ部の前記筐体取付部が取り付けられるスピーカ取付部と、
前記筐体取付部と前記スピーカ取付部との間に設けられ、前記スピーカ部の振動を吸収する第１緩衝部とを備え、
前記スピーカ取付部は、前記スピーカ部の前記筐体取付部が移動するのを規制する規制部を一体的に含み、
前記第１緩衝部は、前記スピーカ部の前記筐体取付部において前記規制部に規制される規制部分が露出され、
露出された前記筐体取付部の前記規制部分に前記規制部が当接するように構成されている、表示装置。
【請求項２】
前記規制部は、前記スピーカ部の前記筐体取付部に係合するとともに、前記筐体取付部の前記スピーカ取付部への取り付け時に取り付け方向と交差する方向にたわみ変形可能なフック部である、請求項１に記載の表示装置。
【請求項３】
前記スピーカ取付部は、前記筐体取付部の取り付け方向に沿って伸びるように溝状に形成されており、
前記スピーカ部の前記筐体取付部は、前記溝状のスピーカ取付部の内面に嵌り込むように取り付けられている、請求項２に記載の表示装置。
【請求項４】
前記溝状のスピーカ取付部の側部は、対向する一対の壁部により構成されており、
前記溝状のスピーカ取付部の底部は、前記フック部により構成されている、請求項３に記載の表示装置。
【請求項５】
前記一対の壁部は、前記スピーカ部の前記筐体取付部が取り付け方向に直交する直交面内の第１方向に移動するのを規制するように構成されており、
前記フック部は、前記スピーカ部の前記筐体取付部が移動するのを規制するとともに、前記直交面内の前記第１方向に直交する第２方向に移動するのを規制するように構成されている、請求項４に記載の表示装置。
【請求項６】
前記筐体取付部は、前記スピーカ本体の両側面に一対設けられており、
前記一対の壁部とフック部とからなるスピーカ取付部は、前記筐体の表面の前記一対の筐体取付部に対応する位置に一対設けられている、請求項４または５に記載の表示装置。
【請求項７】
前記筐体取付部は、前記スピーカ本体の側面から外側に向かって突出するとともに、取り付け方向に延びる板状に形成されており、
前記溝状のスピーカ取付部は、前記第１緩衝部を介して前記板状の筐体取付部を挟み込むように構成されている、請求項３〜６のいずれか１項に記載の表示装置。
【請求項８】
前記第１緩衝部は、前記板状の筐体取付部の表面上の少なくとも前記溝状のスピーカ取付部に挟み込まれる部分に設けられている、請求項７に記載の表示装置。
【請求項９】
前記第１緩衝部は、前記板状の筐体取付部を覆うようにキャップ状に形成されるとともに、前記板状の筐体取付部の前記フック部に係合する部分を露出させるように形成されている、請求項８に記載の表示装置。
【請求項１０】
前記第１緩衝部が設けられた前記板状の筐体取付部は、前記溝状のスピーカ取付部の内面に圧入されるように構成されている、請求項８または９に記載の表示装置。
【請求項１１】
前記スピーカ本体と前記筺体との間に設けられ、前記スピーカ部の振動を吸収する第２緩衝部をさらに備える、請求項１〜１０のいずれか１項に記載の表示装置。
【請求項１２】
前記スピーカ本体は、前記第１方向に音を発するように構成されている、請求項５に記載の表示装置。
【発明の詳細な説明】
【技術分野】
【０００１】
この発明は、表示装置に関し、特に、筐体とスピーカ部とを備える表示装置に関する。
【背景技術】
【０００２】
従来、筐体とスピーカ部とを備える表示装置が知られている（たとえば、特許文献１参照）。
【０００３】
上記特許文献１には、レール部（スピーカ取付部）が設けられたキャビネット（筐体）と、円板状に形成されたスピーカ（スピーカ部）とを備えるテレビジョン装置（表示装置）が開示されている。このテレビジョン装置では、円板状のスピーカの外周部（筐体取付部）がレール部に挿入されることにより、スピーカがキャビネットに取り付けられている。
【０００４】
しかしながら、上記特許文献１のテレビジョン装置では、円板状のスピーカの外周部がキャビネットのレール部の内面に直接接触しているので、スピーカの振動が直接キャビネットに伝達される。このため、スピーカの振動に起因するキャビネット（筐体）のビビリ音を低減することができないという不都合がある。
【０００５】
そこで、従来、スピーカの振動に起因する筐体のビビリ音を低減することが可能な表示装置が提案されている（たとえば、特許文献２参照）。
【０００６】
上記特許文献２には、支持ボス（スピーカ取付け部）が設けられたフロントキャビネット（筐体）と、取付けフランジ部（筐体取付部）が設けられたスピーカユニット（スピーカ部）とを備えるディスプレイ装置（表示装置）が開示されている。このディスプレイ装置では、スピーカユニットの取付けフランジ部を覆うように振動吸収部材が設けられている。そして、このディスプレイ装置では、スピーカユニットの取り付けフランジ部が振動吸収部材を介してフロントキャビネットの支持ボスに取り付けられることにより、スピーカユニットの振動に起因するフロントキャビネット（筐体）のビビリ音を低減させている。また、このディスプレイ装置では、フロントキャビネットに取り付けられたスピーカユニットが取り付け方向に移動して支持ボスから外れるのを、支持ボスとは別個に設けられるねじによって抑制している。
【先行技術文献】
【特許文献】
【０００７】
【特許文献１】特開平１０−２１０５８３号公報
【特許文献２】特開平１０−６６１７９号公報
【発明の概要】
【発明が解決しようとする課題】
【０００８】
しかしながら、上記特許文献２の電子機器では、スピーカユニットの振動に起因するフロントキャビネット（筐体）のビビリ音を低減可能である一方、フロントキャビネットに取り付けられたスピーカユニットが取り付け方向に移動して支持ボスから外れるのを、支持ボスとは別個に設けられるねじによって抑制しているので、部品点数が増加するという問題点がある。
【０００９】
この発明は、上記のような課題を解決するためになされたものであり、この発明の１つの目的は、部品点数を増加させることなくスピーカ部がスピーカ取付部から外れるのを抑制し、かつ、スピーカ部の振動に起因する筐体のビビリ音を低減させることが可能な表示装置を提供することである。
【課題を解決するための手段および発明の効果】
【００１０】
この発明の一の局面による表示装置は、表示部が設けられる筐体と、スピーカ本体と、スピーカ本体を筐体に取り付けるための筐体取付部とを含むスピーカ部と、筐体に一体的に設けられ、スピーカ部の筐体取付部が取り付けられるスピーカ取付部と、筐体取付部とスピーカ取付部との間に設けられ、スピーカ部の振動を吸収する第１緩衝部とを備え、スピーカ取付部は、スピーカ部の筐体取付部が移動するのを規制する規制部を一体的に含み、第１緩衝部は、スピーカ部の筐体取付部において規制部に規制される規制部分が露出され、露出された筐体取付部の規制部分に規制部が当接するように構成されている。
【００１１】
この発明の一の局面による表示装置では、上記のように、筐体に一体的に設けられたスピーカ取付部に、スピーカ部の筐体取付部が移動するのを規制する規制部を一体的に設けることによって、筐体に一体的に設けられたスピーカ取付部の規制部により、部品点数を増加させることなくスピーカ部が取り付け方向に移動するのを抑制することができる。これにより、部品点数を増加させることなくスピーカ部がスピーカ取付部から外れるのを抑制することができる。また、筐体取付部とスピーカ取付部との間にスピーカ部の振動を吸収する第１緩衝部を設けることによって、筐体取付部とスピーカ取付部とが直接接触するのを防止することができるので、スピーカ部の振動が直接筐体に伝達されるのを防止することができる。その結果、スピーカ部の振動に起因する筐体のビビリ音を低減させることができる。
【００１２】
上記一の局面による表示装置において、好ましくは、規制部は、スピーカ部の筐体取付部に係合するとともに、筐体取付部のスピーカ取付部への取り付け時に取り付け方向と交差する方向にたわみ変形可能なフック部である。このように構成すれば、スピーカ部の筐体取付部をスピーカ取付部に取り付ける際に、フック部を取り付け方向と交差する方向にたわみ変形させることができるので、フック部により筐体取付部のスピーカ取付部への取り付けが妨げられるのを抑制することができる。その結果、容易にスピーカ部を筐体に取り付けることができる。
【００１３】
この場合、好ましくは、スピーカ取付部は、筐体取付部の取り付け方向に沿って伸びるように溝状に形成されており、スピーカ部の筐体取付部は、溝状のスピーカ取付部の内面に嵌り込むように取り付けられている。このように構成すれば、筐体取付部を溝状のスピーカ取付部に沿ってスピーカ取付部の内面に嵌め込むことができるので、より容易にスピーカ部を筐体に取り付けることができる。
【００１４】
上記スピーカ取付部が溝状に形成されている表示装置において、好ましくは、溝状のスピーカ取付部の側部は、対向する一対の壁部により構成されており、溝状のスピーカ取付部の底部は、フック部により構成されている。このように構成すれば、たとえば壁部とフック部とが一体的に形成されている場合と異なり、ガイド部としての壁部と移動規制部としてのフック部とがそれぞれ別個に設けられているので、ガイド部としての壁部に沿って筐体取付部をスピーカ取付部に取り付ける際にフック部がたわみ変形し易い。これにより、より容易にスピーカ部を筐体に取り付けることができる。
【００１５】
上記スピーカ取付部が壁部とフック部とにより構成されている表示装置において、好ましくは、一対の壁部は、スピーカ部の筐体取付部が取り付け方向に直交する直交面内の第１方向に移動するのを規制するように構成されており、フック部は、スピーカ部の筐体取付部が移動するのを規制するとともに、直交面内の第１方向に直交する第２方向に移動するのを規制するように構成されている。このように構成すれば、一対の壁部およびフック部により、取り付けられた筐体取付部が取り付け方向に移動するのを規制するだけでなく、第１方向および第２方向に移動するのも規制することができる。これにより、スピーカ部がスピーカ取付部から外れるのをより抑制することができる。
【００１６】
上記スピーカ取付部が壁部とフック部とにより構成されている表示装置において、好ましくは、筐体取付部は、スピーカ本体の両側面に一対設けられており、一対の壁部とフック部とからなるスピーカ取付部は、筐体の表面の一対の筐体取付部に対応する位置に一対設けられている。このように構成すれば、一対のスピーカ取付部のそれぞれに対応する一対の筐体取付部を取り付けることにより、スピーカ取付部と筐体取付部とがそれぞれ１つだけ設けられてスピーカ部が筐体に１箇所で取り付けられる場合と異なり、一対の筐体取付部および一対のスピーカ取付部により、スピーカ部がスピーカ本体の両側の２箇所で筐体に取り付けられるので、スピーカ部がスピーカ取付部から外れるのをさらに抑制することができる。
【００１７】
上記スピーカ取付部が溝状に形成されている表示装置において、好ましくは、筐体取付部は、スピーカ本体の側面から外側に向かって突出するとともに、取り付け方向に延びる板状に形成されており、溝状のスピーカ取付部は、第１緩衝部を介して板状の筐体取付部を挟み込むように構成されている。このように構成すれば、筐体取付部が溝状のスピーカ取付部により挟み込み易い板状に形成されているので、より容易にスピーカ部を筐体に取り付けることができる。
【００１８】
上記溝状のスピーカ取付部が第１緩衝部を介して板状の筐体取付部を挟み込むように構成されている表示装置において、好ましくは、第１緩衝部は、板状の筐体取付部の表面上の少なくとも溝状のスピーカ取付部に挟み込まれる部分に設けられている。このように構成すれば、第１緩衝部を筐体取付部とスピーカ取付部との間に確実に配置することができるので、スピーカ部の振動に起因する筐体のビビリ音を確実に抑制することができる。
【００１９】
上記第１緩衝部が板状の筐体取付部の少なくとも溝状のスピーカ取付部に挟み込まれる部分に設けられている表示装置において、好ましくは、第１緩衝部は、板状の筐体取付部を覆うようにキャップ状に形成されるとともに、板状の筐体取付部のフック部に係合する部分を露出させるように形成されている。このように構成すれば、キャップ状に形成された第１緩衝部により板状の筐体取付部の表面を容易に覆うことができるので、筐体取付部とスピーカ取付部とが直接接触するのを容易に抑制することができる。その結果、スピーカ部の振動に起因する筐体のビビリ音を容易に低減させることができる。また、キャップ状に形成された第１緩衝部の板状の筐体取付部のフック部に係合する部分が露出されているので、筐体取付部とフック部とを第１緩衝部を介することなく直接係合させることができる。その結果、筐体取付部がスピーカ取付部から外れるのをより確実に抑制することができる。
【００２０】
上記第１緩衝部が板状の筐体取付部の少なくとも溝状のスピーカ取付部に挟み込まれる部分に設けられている表示装置において、好ましくは、第１緩衝部が設けられた板状の筐体取付部は、溝状のスピーカ取付部の内面に圧入されるように構成されている。このように構成すれば、規制部により板状の筐体取付部が取り付け方向に移動するのを抑制することに加えて、板状の筐体取付部が溝状のスピーカ取付部に圧入されることにより、筐体取付部が取り付け方向に移動するのをより抑制することができるので、筐体取付部がスピーカ取付部から外れるのをより抑制することができる。
【００２１】
上記一の局面による表示装置において、好ましくは、スピーカ本体と筺体との間に設けられ、スピーカ部の振動を吸収する第２緩衝部をさらに備える。このように構成すれば、筐体取付部とスピーカ取付部との間に設けられた第１緩衝部により、筐体取付部とスピーカ取付部との間のビビリ音を低減させることに加えて、スピーカ本体と筐体との間に設けられた第２緩衝部により、スピーカ本体と筐体との間のビビリ音を低減させることができる。また、上記一対の壁部がスピーカ部の筐体取付部が第１方向に移動するのを規制する構成において、好ましくは、スピーカ本体は、第１方向に音を発するように構成されている。
【図面の簡単な説明】
【００２２】
【図１】本発明の第１実施形態（第２実施形態）によるテレビジョン装置の全体構成を示した斜視図である。
【図２】図１に示すテレビジョン装置の背面側の図である。
【図３】本発明の第１実施形態によるテレビジョン装置の分解斜視図である。
【図４】本発明の第１実施形態によるテレビジョン装置のリアキャビネットを取り外した状態を示した背面図である。
【図５】本発明の第１実施形態によるテレビジョン装置のフロントキャビネットにスピーカユニットが取り付けられた状態を示した拡大斜視図である。
【図６】本発明の第１実施形態によるテレビジョン装置のスピーカユニットをフロントキャビネットに取り付ける手順を説明するための図である。
【図７】本発明の第１実施形態によるテレビジョン装置のフロントキャビネットにスピーカユニットが取り付けられた状態を示した拡大平面図である。
【図８】図７の２００−２００線に沿った断面図である。
【図９】図８のフック部がたわみ変形している状態を示した図である。
【図１０】本発明の第１実施形態によるスピーカユニットの正面図である。
【図１１】本発明の第１実施形態によるスピーカユニットの平面図である。
【図１２】図１１の３００−３００線に沿った断面図である。
【図１３】本発明の第１実施形態によるスピーカユニットの筺体取付部に第１緩衝部を取り付ける手順を説明するための図である。
【図１４】本発明の第２実施形態によるテレビジョン装置のスピーカユニットをフロントキャビネットに取り付ける手順を説明するための図である。
【図１５】本発明の第２実施形態によるスピーカユニットの筺体取付部に第１緩衝部を取り付ける手順を説明するための図である。
【図１６】本発明の第１実施形態の変形例によるテレビジョン装置のフロントキャビネットにスピーカ部が取り付けられた状態を示した拡大斜視図である。
【図１７】本発明の第１実施形態の変形例によるテレビジョン装置のフロントキャビネットにスピーカ部が取り付けられた状態を示した拡大平面図である。
【図１８】図１７の４００−４００線に沿った断面図である。
【図１９】本発明の第１実施形態の変形例によるテレビジョン装置のスピーカユニットをフロントキャビネットに取り付ける手順を説明するための断面図である。
【発明を実施するための形態】
【００２３】
以下、本発明の実施形態を図面に基づいて説明する。
【００２４】
（第１実施形態）
まず、図１〜図１３を参照して、本発明の第１実施形態によるテレビジョン装置１００の構成について説明する。なお、テレビジョン装置１００は、本発明の「表示装置」の一例である。
【００２５】
第１実施形態によるテレビジョン装置１００は、図１に示すように、表示部１と、フロントキャビネット２と、リアキャビネット３と、スタンド部材４とを備えている。なお、フロントキャビネット２は、本発明の「筐体」の一例である。
【００２６】
表示部１は、液晶パネルモジュールからなり、正面側（Ｙ１方向側）に位置する表示面に映像を表示可能に構成されている。また、表示部１は、図１に示すように、正面から見て（Ｙ１方向から見て）、略矩形形状を有している。
【００２７】
フロントキャビネット２は、図１〜図３に示すように、テレビジョン装置１００の正面側（Ｙ１方向側）に配置されている。また、フロントキャビネット２は、図１および図３に示すように、表示部１を支持するように枠形状に形成されている。具体的には、フロントキャビネット２は、図１に示すように、正面（Ｙ１方向）から見て、略矩形形状の外形を有するとともに、略矩形形状の開口２１を有している。開口２１は、表示部１を露出させるために設けられている。なお、フロントキャビネット２は、たとえばポリカーボネートなどの樹脂部材からなる。
【００２８】
リアキャビネット３は、図１〜図３に示すように、テレビジョン装置１００の背面側（Ｙ２方向側）に配置されている。また、リアキャビネット３は、図２および図３に示すように、Ｙ２方向に凹む凹形状に形成されている。また、リアキャビネット３は、背面（Ｙ２方向）から見て略矩形形状を有している。また、リアキャビネット３は、フロントキャビネット２に嵌合するように構成されている。なお、リアキャビネット３は、上記フロントキャビネットと同様に、樹脂部材からなる。
【００２９】
スタンド部材４は、図１〜図３に示すように、テレビジョン装置１００の下部中央部に配置されている。また、スタンド部材４は、テレビジョン装置１００を自立可能にするために設けられている。また、スタンド部材４は、図３に示すように、取付板４１を含んでいる。スタンド部材４は、取付板４１により、フロントキャビネット２の下部中央部に取り付けられている。
【００３０】
スピーカユニット５は、図３および図４に示すように、フロントキャビネット２の背面側（Ｙ２方向側）の下端部近傍に２つ取り付けられている。また、２つのスピーカユニット５は、図４に示すように、フロントキャビネット２の中心を通ってＺ方向に延びる中心線Ａに対して略対称に配置されている。また、スピーカユニット５は、図５に示すように、フロントキャビネット２の背面に取り付けられた状態でテレビジョン装置１００の下方向（Ｚ２方向）に音を発するように構成されている。なお、スピーカユニット５は、本発明の「スピーカ部」の一例である。
【００３１】
ここで、第１実施形態では、図３〜図６に示すように、フロントキャビネット２には、スピーカユニット５をフロントキャビネット２に取り付けるためのスピーカ取付部２２が設けられている。スピーカ取付部２２は、フロントキャビネット２の背面（Ｙ２方向側の表面）に一体的に設けられている。また、スピーカ取付部２２は、図５および図６に示すように、後述するスピーカユニット５の筐体取付部５２と第１緩衝部５３とを、フロントキャビネット２の背面（Ｙ２方向側の表面）に対して直交する方向（Ｙ方向）に取り付け可能なように構成されている。また、スピーカ取付部２２は、図３および図４に示すように、４つ（一対のスピーカ取付部が２組）設けられており、１つのスピーカユニット５に対して一対ずつ設けられている。一対のスピーカ取付部２２は、図５および図６に示すように、スピーカユニット５に設けられた後述する一対の筐体取付部５２に対応する位置に設けられている。
【００３２】
また、スピーカ取付部２２は、図５〜図７に示すように、スピーカユニット５の取り付け方向（Ｙ方向）に沿って延びるように溝状に形成されている。溝状に形成されたスピーカ取付部２２は、図５および図７に示すように、スピーカユニット５の後述する筐体取付部５２と第１緩衝部５３が嵌り込むように構成されている。この溝状のスピーカ取付部２２のＺ方向の側部は、対向する一対の壁部２２１により構成されている。また、溝状のスピーカ取付部２２の底部は、フック部２２２により構成されている。スピーカ取付部２２を構成する一対の壁部２２１および１つのフック部２２２は、フロントキャビネット２に一体的に設けられている。なお、フック部２２２は、本発明の「規制部」の一例である。
【００３３】
壁部２２１は、図５および図６に示すように、フロントキャビネット２の背面（Ｙ２方向側の表面）に対して垂直方向（Ｙ２方向）に延びる板状に形成されている。また、壁部２２１は、Ｙ２方向側に向かってＸ方向の幅が徐々に小さくなるようにテーパ状に形成されている。壁部２２１の上端部（Ｙ２方向の端部）のフック部２２２とは反対側の角部は、円弧状にＲ面取りされている。また、壁部２２１は、図７に示すように、後述する第１緩衝部５３と筐体取付部５２とを挟み込むように構成されている。また、壁部２２１は、図５および図７に示すように、取り付けられた筐体取付部５２が取り付け方向（Ｙ方向）に直交する直交面内のＺ方向に移動するのを規制するように構成されている。
【００３４】
フック部２２２は、図８に示すように、先端部２２２ａと先端支持部２２２ｂとから構成されている。先端部２２２ａは、爪状に形成されている。また、先端部２２２ａは、後述する筐体取付部５２の上端部（Ｙ２方向の端部）のスピーカ本体５１とは反対側の角部に係合するように構成されている。また、先端部２２２ａは、取り付けられた筐体取付部５２が取り付け方向（Ｙ方向）に移動するのを規制するように構成されている。先端支持部２２２ｂは、図５〜図８に示すように、フロントキャビネット２の背面（Ｙ２方向側の面）に対してややスピーカユニット５側に傾いた方向に延びる板状に形成されている。また、先端支持部２２２ｂは、図７および図８に示すように、取り付けられた筐体取付部５２が取り付け方向（Ｙ方向）に直交する直交面内のＺ方向に直交するＸ方向に移動するのを規制するように構成されている。また、先端支持部２２２ｂは、図９に示すように、筐体取付部５２のスピーカ取付部２２への取り付け時に取り付け方向（Ｙ方向）と交差する方向（Ｘ方向）にたわみ変形可能なように構成されている。なお、フック部２２２は、一対の壁部２２１と分離されている。
【００３５】
スピーカユニット５は、図１０〜図１３に示すように、スピーカ本体５１と、筐体取付部５２と、第１緩衝部５３と、第２緩衝部５４とを含んでいる。スピーカ本体５１は、略直方体形状を有するとともに、Ｚ２方向に音を発するように構成されている。筐体取付部５２は、スピーカ本体５１に一体的に設けられている。また、筐体取付部５２は、スピーカ本体５１のＸ方向の両側面から外側に向かって突出するように一対設けられている。また、筐体取付部５２は、図１３に示すように、取り付け方向（Ｙ方向）に延びる板状に形成されている。また、筐体取付部５２は、図１２に示すように、スピーカ本体５１のＸ方向の側面において、中心位置からずれたＺ２方向（下方向）寄りでかつＹ１方向（正面方向）寄りに設けられている。
【００３６】
第１緩衝部５３は、図７に示すように、筐体取付部５２とスピーカ取付部２２との間に配置されている。また、第１緩衝部５３は、図１０〜図１３に示すように、筐体取付部５２を覆うようにキャップ状に形成されている。第１緩衝部５３は、たとえばクロロブレンゴムからなり、スピーカ本体５１から音が発せられることに起因するスピーカユニット５の振動を吸収するように構成されている。また、第１緩衝部５３は、図８に示すように、筐体取付部５２のフック部２２２の先端部２２２ａに係合する部分を露出させるように構成されている。また、第１緩衝部５３は、筐体取付部５２のＸ方向の外側表面およびＹ２方向の外側端部を露出させる一方、筐体取付部５２のその他の表面の全域を覆っている。なお、図１１に示すように、Ｙ２方向から見て、第１緩衝部５３のＺ方向の厚みｔ１は、筐体取付部５２のＺ方向の厚みｔ２よりも大きくなるように構成されている。たとえば、厚みｔ１は約１．５ｍｍであり、厚みｔ２は約１．２ｍｍである。
【００３７】
第１緩衝部５３が取り付けられた筐体取付部５２は、図７に示すように、溝状に形成されたスピーカ取付部２２の内面に軽圧入されるように構成されている。具体的には、第１緩衝部５３が取り付けられた筐体取付部５２の幅Ｗ１（ｔ１＋ｔ２＋ｔ１（図１１参照））は、溝状のスピーカ取付部２２の側部を構成している一対の壁部２２１の間隔Ｗ２よりも若干大きくなるように構成されている。たとえば、幅Ｗ１は約４．２ｍｍであり、間隔Ｗ２は約４ｍｍである。
【００３８】
第２緩衝部５４は、図１０〜図１３に示すように、スピーカ本体５１の上面（Ｙ２方向側の表面）および下面（Ｙ１方向側の表面）を覆うように形成されている。また、第２緩衝部５４は、板状に形成されている。第２緩衝部５４は、たとえばスポンジからなり、スピーカ本体５１から音が発せられることに起因するスピーカユニット５の振動を吸収するように構成されている。また、第２緩衝部５４は、図８に示すように、筐体取付部５２がスピーカ取付部２２に取り付けられた状態において、スピーカ本体５１の下面（Ｙ１方向側の面）とフロントキャビネット２の背面（Ｙ２方向側の面）との間でＹ方向に圧縮されて配置されている。図８では、スピーカ本体５１の下面（Ｙ１方向側の面）に設けられた第２緩衝部５４のＹ方向の厚みｔ３は、スピーカ本体５１の下面（Ｙ１方向側の面）とフロントキャビネット２の背面（Ｙ２方向側の面）との間でＹ方向に圧縮されている分、上面（Ｙ２方向側の面）に設けられた第２緩衝部５４の厚みｔ４よりも小さくなっている。
【００３９】
次に、図６〜図９および図１３を参照して、第１実施形態によるテレビジョン装置１００のスピーカユニット５の取り付け手順について説明する。
【００４０】
まず、スピーカユニット５の上面および下面（Ｙ２方向側の面およびＹ１方向側の面）に、板状に形成された第２緩衝部５４を取り付ける。次に、図１３に示すように、スピーカユニット５の両側面（Ｘ１方向側の面およびＸ２方向側の面）から外側（Ｘ１方向側およびＸ２方向側）に突出している一対の筐体取付部５２のそれぞれに、キャップ状に形成された第１緩衝部５３を被せるように取り付ける。なお、このとき、筐体取付部５２のフック部２２２と係合する部分（図８参照）は露出されたままである。
【００４１】
次に、図６に示すように、スピーカユニット５をフロントキャビネット２の背面（Ｙ２方向側の面）に取り付ける。具体的には、第１緩衝部５３を取り付けた筐体取付部５２を、フロントキャビネット２のスピーカ取付部２２の一対の壁部２２１の内面に沿ってＹ１方向に嵌め込む。このとき、図７に示すように、第１緩衝部５３と筐体取付部５２とをスピーカ取付部２２の一対の壁部２２１の内面に軽圧入する。
【００４２】
また、このとき、図９に示すように、フック部２２２の先端部２２２ａは、筐体取付部５２（および第１緩衝部５３）と接触する。ここで、フック部２２２の先端支持部２２２ｂは、筐体取付部（および第１緩衝部５３）の取り付け方向（Ｙ方向）と交差する方向（Ｘ方向）にたわみ変形する。これにより、筐体取付部５２（および第１緩衝部５３）をスピーカ取付部２２の壁部２２１の内面に沿ってＹ方向に真っ直ぐに嵌め込むことができる。そして、第１緩衝部５３と筐体取付部５２とをスピーカ取付部２２の一対の壁部２２１の内面に軽圧入した後で、図８に示すように、フック部２２２の先端部２２２ａを筐体取付部５２の上端部（Ｙ２方向の端部）のスピーカ本体５１とは反対側（Ｘ２方向側）の角部（第１緩衝部５３から露出した部分）に係合させる。このようにして、第１実施形態によるテレビジョン装置１００のスピーカユニット５の取り付けが行われる。
【００４３】
第１実施形態では、上記のように、フロントキャビネット２に一体的に設けられたスピーカ取付部２２に、スピーカユニット５の筐体取付部５２が取り付け方向（Ｙ方向）に移動するのを規制するフック部２２２を一体的に設けることによって、フロントキャビネット２に一体的に設けられたスピーカ取付部２２のフック部２２２により、部品点数を増加させることなくスピーカユニット５が取り付け方向（Ｙ方向）に移動するのを抑制することができる。これにより、部品点数を増加させることなくスピーカユニット５がスピーカ取付部２２から外れるのを抑制することができる。また、筐体取付部５２とスピーカ取付部２２との間に、スピーカユニット５の振動を吸収する第１緩衝部５３を設けることによって、筐体取付部５２とスピーカ取付部２２とが直接接触するのを防止することができるので、スピーカユニット５の振動が直接フロントキャビネット２に伝達されるのを防止することができる。その結果、スピーカユニット５の振動に起因するフロントキャビネット２のビビリ音を低減させることができる。
【００４４】
また、第１実施形態では、上記のように、フック部２２２を、先端部２２２ａがスピーカユニット５の筐体取付部５２に係合するとともに、先端支持部２２２ｂが筐体取付部５２のスピーカ取付部２２への取り付け時に取り付け方向（Ｙ方向）と交差する方向（Ｘ方向）にたわみ変形可能なように構成している。これにより、スピーカユニット５の筐体取付部５２をスピーカ取付部２２に取り付ける際に、フック部２２２を取り付け方向（Ｙ方向）と交差する方向（Ｘ方向）にたわみ変形させることができるので、フック部２２２により筐体取付部５２のスピーカ取付部２２への取り付けが妨げられるのを抑制することができる。その結果、容易にスピーカユニット５をフロントキャビネット２に取り付けることができる。
【００４５】
また、第１実施形態では、上記のように、スピーカ取付部２２を、筐体取付部５２の取り付け方向（Ｙ方向）に沿って伸びるように溝状に形成し、スピーカユニット５の筐体取付部５２を、溝状のスピーカ取付部２２の内面に嵌め込むように取り付けている。これにより、筐体取付部５２を溝状のスピーカ取付部２２に沿ってスピーカ取付部２２の内面に嵌め込むことができるので、より容易にスピーカユニット５をフロントキャビネット２に取り付けることができる。
【００４６】
また、第１実施形態では、上記のように、溝状のスピーカ取付部２２の側部を、対向する一対の壁部２２１により構成し、溝状のスピーカ取付部２２の底部を、フック部２２２により構成している。これにより、たとえば壁部２２１とフック部２２２とが一体的に形成されている場合と異なり、ガイド部としての壁部２２１と移動規制部としてのフック部２２２とがそれぞれ別個に設けられているので、ガイド部としての壁部２２１に沿って筐体取付部５２をスピーカ取付部２２に取り付ける際にフック部２２２がたわみ変形し易い。その結果、より容易にスピーカユニット５をフロントキャビネット２に取り付けることができる。
【００４７】
また、第１実施形態では、上記のように、一対の壁部２２１を、スピーカユニット５の筐体取付部５２が取り付け方向（Ｙ方向）に直交する直交面内の第１方向（Ｚ方向）に移動するのを規制するように構成し、フック部２２２を、スピーカユニット５の筐体取付部５２が取り付け方向（Ｙ方向）に移動するのを規制するとともに、直交面内の第１方向（Ｚ方向）に直交する第２方向（Ｘ方向）に移動するのを規制するように構成している。これにより、一対の壁部２２１およびフック部２２２により、取り付けられた筐体取付部５２が取り付け方向（Ｙ方向）に移動するのを規制するだけでなく、第１方向（Ｚ方向）および第２方向（Ｘ方向）に移動するのも規制することができる。すなわち、スピーカユニット５がスピーカ取付部２２から外れるのをより抑制することができる。
【００４８】
また、第１実施形態では、上記のように、筐体取付部５２を、スピーカ本体５１の両側面に一対設け、一対の壁部２２１とフック部２２２とからなるスピーカ取付部２２を、フロントキャビネット２の表面の一対の筐体取付部５２に対応する位置に一対設けている。これにより、一対のスピーカ取付部２２のそれぞれに対応する一対の筐体取付部５２を取り付けることにより、スピーカ取付部２２と筐体取付部５２とがそれぞれ１つだけ設けられてスピーカユニット５がフロントキャビネット２に１箇所で取り付けられる場合と異なり、一対の筐体取付部５２および一対のスピーカ取付部２２により、スピーカユニット５がスピーカ本体５１の両側の２箇所でフロントキャビネット２に取り付けられるので、スピーカユニット５がスピーカ取付部２２から外れるのをさらに抑制することができる。
【００４９】
また、第１実施形態では、上記のように、筐体取付部５２を、スピーカ本体５１の側面から外側に向かって突出させるとともに、取り付け方向（Ｙ方向）に延びる板状に形成し、溝状のスピーカ取付部２２を、第１緩衝部５３を介して板状の筐体取付部５２を挟み込むように構成している。これにより、筐体取付部５２が溝状のスピーカ取付部２２により挟み込み易い板状に形成されているので、より容易にスピーカユニット５をフロントキャビネット２に取り付けることができる。
【００５０】
また、第１実施形態では、上記のように、第１緩衝部５３を、板状の筐体取付部５２の表面上の少なくとも溝状のスピーカ取付部２２に挟み込まれる部分に設けている。これにより、第１緩衝部５３を筐体取付部５２とスピーカ取付部２２との間に確実に配置することができるので、スピーカユニット５の振動に起因するフロントキャビネット２のビビリ音を確実に抑制することができる。
【００５１】
また、第１実施形態では、上記のように、第１緩衝部５３を、板状の筐体取付部５２を覆うようにキャップ状に形成するとともに、板状の筐体取付部５２のフック部２２２に係合する部分を露出させるように形成している。これにより、キャップ状に形成された第１緩衝部５３により板状の筐体取付部５２の表面を容易に覆うことができるので、筐体取付部５２とスピーカ取付部２２とが直接接触するのを容易に抑制することができる。その結果、スピーカユニット５の振動に起因するフロントキャビネット２のビビリ音を容易に低減させることができる。また、キャップ状に形成された第１緩衝部５３の板状の筐体取付部５２のフック部２２２に係合する部分が露出されているので、筐体取付部５２とフック部２２２とを第１緩衝部５３を介することなく直接係合させることができる。その結果、筐体取付部５２がスピーカ取付部２２から外れるのをより確実に抑制することができる。
【００５２】
また、第１実施形態では、上記のように、第１緩衝部５３が設けられた板状の筐体取付部５２を、溝状のスピーカ取付部２２の内面に圧入されるように構成している。これにより、フック部２２２により板状の筐体取付部５２が取り付け方向（Ｙ方向）に移動するのを抑制することに加えて、板状の筐体取付部５２が溝状のスピーカ取付部２２に圧入されることにより、筐体取付部５２が取り付け方向（Ｙ方向）に移動するのをより抑制することができるので、筐体取付部５２がスピーカ取付部２２から外れるのをより抑制することができる。
【００５３】
また、第１実施形態では、上記のように、スピーカ本体５１とフロントキャビネット２との間に、スピーカユニット５の振動を吸収する第２緩衝部５４を設けている。これにより、筐体取付部５２とスピーカ取付部２２との間に設けられた第１緩衝部５３により、筐体取付部５２とスピーカ取付部２２との間のビビリ音を低減させることに加えて、スピーカ本体５１とフロントキャビネット２との間に設けられた第２緩衝部５４により、スピーカ本体５１とフロントキャビネット２との間のビビリ音を低減させることができる。
【００５４】
（第２実施形態）
次に、図１４および図１５を参照して、本発明の第２実施形態によるテレビジョン装置１０１（図１および図２参照）について説明する。この第２実施形態では、第１緩衝部５３がキャップ状に形成された第１実施形態と異なり、第１緩衝部５５が板状に形成されている。
【００５５】
第２実施形態によるテレビジョン装置１０１では、図１４に示すように、第１緩衝部５５は、板状の筐体取付部５２のスピーカ取付部２２の一対の壁部２２１と対向する表面の全域を覆うように設けられている。具体的には、第１緩衝部５５は、筐体取付部５２のＺ１方向側の表面の全域と、Ｚ２方向側の表面の全域とを覆うように板状に形成されている。なお、筐体取付部５２のＸ方向の表面、Ｙ１方向の表面およびＹ２方向の表面は露出されている。第２実施形態では、図１５に示すように、第１緩衝部５５は、板状の筐体取付部５２のＺ１方向側の表面およびＺ２方向側の表面に貼り付けられる。なお、第２実施形態によるテレビジョン装置１０１のその他の構成および効果は、上記した第１実施形態と同様である。
【００５６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５７】
たとえば、上記第１実施形態では、１つのスピーカユニット５に対応する一対のスピーカ取付部のうちの両方を、一対の壁部２２１とフック部２２２とをそれぞれ別個に設けたスピーカ取付部２２とする例を示したが、本発明はこれに限らない。本発明では、図１６および図１７に示す変形例のように、一対のスピーカ取付部のうちの一方（たとえば、Ｘ２方向側のスピーカ取付部）を、Ｙ２方向から見てコの字形状を有するように一対の壁部とフック部とを一体的に形成する（壁部とフック部とが分離していない）スピーカ取付部２２ａとしてもよい。なお、この変形例では、図１９に示すように、筺体取付部５２ａを、上記第１実施形態の筺体取付部５２の取り付け方向（Ｙ方向）に対して傾けながらスピーカ取付部２２ａに取り付ける必要がある。ここで、この変形例では、図１８および図１９に示すように、スピーカ取付部２２ａに対応する筺体取付部５２ａ（および第１緩衝部５３ａ）の下端部（Ｙ１方向側の端部）のスピーカ本体５１とは反対側（Ｘ２方向側）の角部が円弧状にＲ面取りされている。これにより、筺体取付部５２ａ（および第１緩衝部５３ａ）のスピーカ取付部２２ａへの取り付け時において、筺体取付部５２ａ（および第１緩衝部５３ａ）の面取りされた部分がフロントキャビネット２に接触することになるので、筺体取付部５２ａによりフロントキャビネット２に傷が付くのを抑制することが可能となる。
【００５８】
また、上記第１および第２実施形態では、フック部２２２により筐体取付部５２が取り付け方向（Ｙ方向）に移動するのを規制する例を示したが、本発明はこれに限らない。本発明では、フック部２２２以外の規制部により筐体取付部５２が取り付け方向（Ｙ方向）に移動するのを規制するようにしてもよい。
【００５９】
また、上記第１および第２実施形態では、フック部２２２により筺体取付部５２が取り付け方向（Ｙ方向）に移動するのを規制する例を示したが、本発明はこれに限らない。本発明では、第１緩衝部が設けられた筺体取付部５２を一対の壁部２２１の内面に強圧入されるように構成し、一対の壁部２２１により、筺体取付部５２が取り付け方向（Ｙ方向）に移動するのを規制するようにしてもよい。
【００６０】
また、上記第１および第２実施形態では、筺体取付部５２をフロントキャビネット２の背面（Ｙ２方向側の面）に対して直交する方向（Ｙ方向）に取り付け可能なスピーカ取付部２２を示したが、本発明はこれに限らない。本発明では、筺体取付部２２をフロントキャビネット２の背面（Ｙ２方向側の面）に対して平行な方向（Ｘ方向またはＺ方向）に取り付け可能なスピーカ取付部としてもよい。
【００６１】
また、上記第１実施形態および第２実施形態では、第１緩衝部５３および５５としてクロロブレンゴムを用いるとともに、第２緩衝部５４としてスポンジを用いる例を示したが、本発明はこれに限らない。本発明では、スピーカユニット５の振動を吸収する部材であれば、第１緩衝部５３および５５としてクロロブレンゴム以外を用いてもよいし、第２緩衝部５４としてスポンジ以外を用いてもよい。
【００６２】
また、上記第１および第２実施形態では、筺体取付部５２を板状に形成するとともに、スピーカ取付部２２を板状の筺体取付部５２が挿入可能な溝状に形成する例を示したが、本発明はこれに限らない。本発明では、筺体取付部がスピーカ取付部に取り付け可能であれば、筺体取付部を板状以外の形状に形成してもよいし、スピーカ取付部を溝状以外の形状に形成してもよい。
【００６３】
また、上記第１および第２実施形態では、第１緩衝部５３および５５を、板状の筺体取付部５２のスピーカ取付部２２の一対の壁部２２１に対向する表面の全域を覆うように設ける例を示したが、本発明はこれに限らない。本発明では、第１緩衝部は、筺体取付部５２とスピーカ取付部２２との間に設けられていればよい。
【００６４】
また、上記第１および第２実施形態では、スピーカ取付部２２をフロントキャビネット２に設ける例を示したが、本発明はこれに限らない。本発明では、スピーカ取付部２２をリアキャビネット３に設けてもよい。
【００６５】
また、上記第１および第２実施形態では、１つのスピーカユニット５に対して筺体取付部５２とスピーカ取付部２２とをそれぞれ２つずつ設ける例を示したが、本発明はこれに限らない。本発明では、１つのスピーカユニット５に対して筺体取付部５２とスピーカ取付部２２とをそれぞれ１つずつ設けてもよいし、それぞれ３つ以上ずつ設けてもよい。
【００６６】
また、上記第１および第２実施形態では、スピーカユニット５を２つ設ける例を示したが、本発明はこれに限らない。本発明では、スピーカユニット５を１つだけ設けてもよいし、３つ以上設けてもよい。
【００６７】
また、上記第１および第２実施形態では、本発明を表示装置としてのテレビジョン装置１００および１０１に適用する例を示したが、本発明はこれに限らない。本発明では、たとえばスピーカを備えるＰＣ用のディスプレイ装置など、テレビジョン装置以外の表示装置に適用してもよい。
【符号の説明】
【００６８】
１  表示部
２  フロントキャビネット（筺体）
５  スピーカユニット（スピーカ部）
２２、２２ａ  スピーカ取付部
５１  スピーカ本体
５２、５２ａ  筺体取付部
５３、５３ａ、５５  第１緩衝部
５４  第２緩衝部
１００、１０１  テレビジョン装置（表示装置）
２２１  壁部
２２２  フック部（規制部）
【図１】
2014161123.tif 000003
【図２】
2014161123.tif 000004
【図３】
2014161123.tif 000005
【図４】
2014161123.tif 000006
【図５】
2014161123.tif 000007
【図６】
2014161123.tif 000008
【図７】
2014161123.tif 000009
【図８】
2014161123.tif 000010
【図９】
2014161123.tif 000011
【図１０】
2014161123.tif 000012
【図１１】
2014161123.tif 000013
【図１２】
2014161123.tif 000014
【図１３】
2014161123.tif 000015
【図１４】
2014161123.tif 000016
【図１５】
2014161123.tif 000017
【図１６】
2014161123.tif 000018
【図１７】
2014161123.tif 000019
【図１８】
2014161123.tif 000020
【図１９】
2014161123.tif 000021